(57)【要約】【課題】視覚及び聴覚による情報の提供を可能にし、かつ室内デザインとの調和を図ることにある。【解決手段】音に関する電気信号に応じて振動する加振子１が設けられた振動板２の表面２ａに、表示に関する電気信号に応じて発光が制御される発光体３を設けた構成になっている。【選択図】図１
2005189464.tif 000002
【特許請求の範囲】
【請求項１】
音に関する電気信号に応じて振動する加振子が設けられた振動板の表面に、表示に関する電気信号に応じて発光が制御される発光体を設けたことを特徴とするスピーカ機能を有する発光表示パネル。
【請求項２】
上記振動板の表面の面積より当該振動板の表面に占める上記発光体の面積を小さくしたことを特徴とする請求項１に記載のスピーカ機能を有する発光表示パネル。
【請求項３】
上記発光体の表面に透光性を有する表層材を設けたことを特徴とする請求項１又は２に記載のスピーカ機能を有する発光表示パネル。
【請求項４】
ハニカムパネルの各空隙に、表示に関する電気信号に応じて発光が制御される発光体を設け、上記ハニカムパネルの表面に透光性を有する表層材を設け、上記ハニカムパネルの裏面に上記各発光体との電気的な接続がなされる回路を有する基板を設け、上記ハニカムパネル、上記表層材及び上記基板によって一体化された振動板を構成し、この振動板の裏面に、音に関する電気信号に応じて振動する加振子を設けたことを特徴とするスピーカ機能を有する発光表示パネル。
【請求項５】
上記ハニカムパネルにおける各空隙の内面を可視光線の反射率の高い面で形成したことを特徴とする請求項４に記載のスピーカ機能を有する発光表示パネル。
【請求項６】
上記発光体によって非常灯又は誘導灯の標識を構成したことを特徴とする請求項１〜５の何れかに記載のスピーカ機能を有する発光表示パネル。
【請求項７】
請求項１〜６の何れかに記載のスピーカ機能を有する発光表示パネルを立体的に組み合わせて構成したことを特徴とするスピーカ機能を有する発光表示装置。
【発明の詳細な説明】
【技術分野】
【０００１】
本発明は、視覚及び聴覚による情報の提供を可能にするスピーカ機能を有する発光表示パネル及び発光表示装置に関する。
【背景技術】
【０００２】
例えば、非常口や通路の上方には非常灯や誘導灯等の発光表示パネルが設置されているが、これらの発光表示パネルは、人が避難するイメージの絵や文字や矢印等の記号が表面に記載され、内部に配置されたランプによって上記絵等を発光させるように構成されたものとなっている。
【０００３】
このため、例えば音声によって、避難等の情報を提供するためには、別途スピーカを設置しておく必要があった。
【０００４】
また、上述した発光表示パネルは、室内のデザインと必ずしも調和したものとはいえず、むしろ室内のデザインを阻害する要因となるという問題があった。
【発明の開示】
【発明が解決しようとする課題】
【０００５】
本発明は、上記事情に鑑みてなされたものであり、視覚及び聴覚による情報の提供を可能にし、かつ室内デザインとの調和を図ることのできるスピーカ機能を有する発光表示パネル及び発光表示装置を提供することを課題としている。
【課題を解決するための手段】
【０００６】
上記課題を解決するため、請求項１に記載のスピーカ機能を有する発光表示パネルは、音に関する電気信号に応じて振動する加振子が設けられた振動板の表面に、表示に関する電気信号に応じて発光が制御される発光体を設けたことを特徴としている。
【０００７】
請求項２に記載のスピーカ機能を有する発光表示パネルは、請求項１に記載の発明において、上記振動板の表面の面積より当該振動板の表面に占める上記発光体の面積を小さくしたことを特徴としている。
【０００８】
請求項３に記載のスピーカ機能を有する発光表示パネルは、請求項１又は２に記載の発明において、上記発光体の表面に透光性を有する表層材を設けたことを特徴としている。
【０００９】
請求項４に記載のスピーカ機能を有する発光表示パネルは、ハニカムパネルの各空隙に、表示に関する電気信号に応じて発光が制御される発光体を設け、上記ハニカムパネルの表面に透光性を有する表層材を設け、上記ハニカムパネルの裏面に上記各発光体との電気的な接続がなされる回路を有する基板を設け、上記ハニカムパネル、上記表層材及び上記基板によって一体化された振動板を構成し、この振動板の裏面に、音に関する電気信号に応じて振動する加振子を設けたことを特徴としている。
【００１０】
請求項５に記載のスピーカ機能を有する発光表示パネルは、請求項４に記載の発明において、上記ハニカムパネルにおける各空隙の内面を可視光線の反射率の高い面で形成したことを特徴としている。
【００１１】
請求項６に記載のスピーカ機能を有する発光表示パネルは、請求項１〜５の何れかに記載の発明において、上記発光体によって非常灯又は誘導灯の標識を構成したことを特徴としている。
【００１２】
請求項７に記載のスピーカ機能を有する発光表示装置は、請求項１〜６の何れかに記載のスピーカ機能を有する発光表示パネルを立体的に組み合わせて構成したことを特徴としている。
【発明の効果】
【００１３】
上記のように構成された請求項１〜７に記載の発明によれば、音に関する電気信号が加振子に入力されることにより、加振子が振動し、この加振子によって振動板が加振されることになるので、当該振動板や発光体から上記電気信号に応じた音を放射することができる。即ち、発光体の表面側から音声や音楽等の音を発することができる。
【００１４】
従って、表示パネルに加えて、スピーカを設置するスペースが不要になると共に、そのスピーカを設置するための工事費用の低減を図ることができる。しかも、スピーカを設置することにより、室内のデザインが阻害されるおそれもなくなる。
【００１５】
また、発光体は電気信号に応じて発光が制御されるようになっているので、絵、文字、記号等について任意の形状の静止画や動画として表示することができると共に、任意の明るさや色で表示することができる。
【００１６】
従って、室内のデザインと調和させることが可能になるとともに、より有効で分かりやすい表示情報を提供することができる。また、緊急の場合には、上述した音の情報と共に、特に目立つ表示に切り換えることにより、避難情報等を人々に確実に知らせることができる。
【００１７】
更に、振動板の剛性を高めることにより、室内仕上げ材の一部として用いることができる利点がある。この場合、振動板として例えばハニカムで補強した薄いアルミニウム板やステンレス板等の金属パネル又は石膏ボードなどの軽量の建材を用いることにより、スピーカとして充分な機能を有すると共に、室内仕上げ材として充分な剛性を有する振動板を得ることができる。また、振動板としては、平面状の広がりを有するものでも、曲面状に湾曲するものであってもよい。
【００１８】
請求項２に記載の発明によれば、振動板の表面の面積より当該表面に占める上記発光体の面積を小さく構成しているので、発光体を振動板によって確実にバックアップすることができる。
【００１９】
請求項３に記載の発明によれば、発光体の表面に透光性を有する表層材を設けているので、発光体の表面を確実に保護することができる。従って、室内仕上げ材の一部としてより有効に活用することができる。なお、表層材としては、硬質で傷が付きにくく、かつ耐熱性に優れたガラスエポキシを用いることが好ましい。
【００２０】
請求項４に記載の発明によれば、ハニカムパネルの表面及び裏面にそれぞれ設けた表層材及び基板によって振動板を構成しているので、重量の増加を抑えながら、振動板の剛性の向上を図ることができる。この場合にも、表層材としては、硬質で傷が付きにくく、かつ耐熱性に優れたガラスエポキシを用いることが好ましい。
【００２１】
また、発光体をハニカムパネルの各空隙の内方に設置することができるので、表面側から表層材を介して作用する力に対しても、発光体を有効に保護することができる。
【００２２】
請求項５に記載の発明によれば、ハニカムパネルにおける各空隙の内面を可視光線の反射率の高い面で形成しているので、発光体から発した光を表示光として有効に利用することができると共に、当該表示光の直進性の向上を図ることができる。従って、消費電力の低減を図ることができる。
【００２３】
なお、可視光線の反射率の向上は、上述のようにアルミニウムやステンレス鋼等の金属でハニカムパネルを構成すると共に、各空隙の内面を鏡面状に仕上げることにより可能になる。また、各空隙の内面にクロムメッキを施したり、白色系の塗装を施したりすることによっても可能となる。
【００２４】
請求項６に記載の発明によれば、発光体によって非常灯又は誘導灯の標識を構成しているので、例えば映画館において、上映前においては表示を明るくして充分な視認性を確保し、上映中においては表示を暗くして映画鑑賞の妨げになるのを防止しつつ、暗室における充分な視認性を確保することができる。
【００２５】
請求項７に記載の発明によれば、請求項１〜６の何れかに記載のスピーカ機能を有する発光表示パネルを立体的に組み合わせて構成しているので、例えば天井から吊り下げることによって、周囲や下方等から発光体による表示を見ることができると共に、振動板等から発する音による案内等の情報を聞くことができる。
【発明を実施するための最良の形態】
【００２６】
（第１の実施の形態）
本発明を実施するための最良の形態としての第１の実施の形態について図面を参照しながら説明する。
【００２７】
この第１の実施の形態で示すスピーカ機能を有する発光表示パネル１０は、図１に示すように、音に関する電気信号に応じて振動する加振子１が設けられた振動板２の表面２ａに、表示に関する電気信号に応じて発光が制御される発光体３を設けた構成になっている。また、発光体３の表面３ａには、透光性を有する表層材４が設けられている。
【００２８】
振動板２は、アルミニウム製のハニカムパネルの表と裏に同じくアルミニウム製の薄板を貼り合わせて直角四角形状の板状に形成したものである。即ち、振動板２は、加振子１の振動に対する追従性を向上させるため、アルミニウム製のハニカムパネル及び２枚の薄板によって軽量化及び高剛性化が図られている。
【００２９】
加振子１は、振動板２の裏面２ｂの中央部にねじ等の固定手段によって一体的に固定されている。
発光体３は、ＬＥＤパネル、有機若しくは無機ＥＬパネル或いは液晶パネルによって平板状に形成されたものであり、振動板２の表面２ａに接着剤等によって一体的に固定されている。また、発光体３は、振動板２の表面２ａと同等の広がりを有する直角四角形状に形成されている。
【００３０】
表層材４は、硬質で傷が付きにくく、かつ耐熱性に優れたガラスエポキシによって平板状に形成されたものであり、発光体３の表面３ａに層状に配置された状態で、振動板２及び発光体３の周縁部を囲む枠１０ａによって保持されるようになっている。この表層材４は、発光体３の表面３ａと同等の広がりを有する直角四角形状に形成されている。また、表層材４は、光の透過が可能であれば、透明なものでも、曇りガラス状のものでも、種々の色が着色されたものであってもよい。
【００３１】
上記のように構成されたスピーカ機能を有する発光表示パネル１０においては、音に関する電気信号が加振子１に入力されることにより、加振子１が振動し、この加振子１によって振動板２が加振されることになるので、当該振動板２や発光体３や表層材４等から上記電気信号に応じた音を放射することができる。即ち、表層材４側から音声や音楽等の音を発することができる。
【００３２】
従って、表示パネル１０に加えて、スピーカを設置するスペースが不要になると共に、そのスピーカを設置するための工事費用の低減を図ることができる。しかも、別途、スピーカを設置することにより、室内のデザインが阻害されるおそれもなくなる。また、振動板２をアルミニウム製のハニカムパネル及び２枚の薄板で形成することによって、当該振動板２として質量が小さくかつ剛性の高いものを得ることができるので、音質の向上を図ることができる。
【００３３】
また、発光体３は電気信号に応じて発光が制御されるようになっているので、絵、文字、記号等を静止画や動画によって表示することができると共に、任意の明るさや色で表示することができる。
【００３４】
従って、室内のデザインと調和させることが可能になるとともに、より有効な視覚情報を提供することができる。また、緊急の場合には、上述した音の情報と共に、特に目立つ表示に切り換えることにより、安全性等の確保を図ることができる。しかも、発光体３の表面３ａにガラスエポキシ製の表層材４を設けているので、当該発光体３の表面３ａを確実に保護することができる。
【００３５】
また、発光体３によって、例えば非常灯や誘導灯の標識を構成することができる。この場合、例えば映画館において、上映前においては表示を明るくして充分な視認性を確保し、上映中においては表示を暗くして映画鑑賞の妨げを防止しつつ、暗室における充分な視認性を確保することができる。
【００３６】
更に、スピーカ機能を有する発光表示パネル１０は、振動板２を、建物の室内仕上げ材の剛性と同等以上のもので構成することによって、当該室内仕上げ材の一部として活用することもできる。
【００３７】
なお、上記実施の形態においては、発光体３を振動板２の表面２ａと同等の広がりを有するもので構成したが、この発光体３は、振動板２の表面２ａに占める面積を当該表面２ａの面積より小さくしてもよい。この場合には、発光体３を振動板２によって確実にバックアップすることができる。
【００３８】
また、図３に示すように、スピーカ機能を有する発光表示パネル１０を立体的に組み合わせることによって、スピーカ機能を有する発光表示装置１１を構成してもよい。
【００３９】
このスピーカ機能を有する発光表示装置１１は、４つのスピーカ機能を有する発光表示パネル１０をそれぞれ表層材４側が外方を向くようにして四角筒状に組み合わせたもので構成されている。各発光表示パネル１０の水平方向の各端部は、コーナポスト部１１ａにスポンジゴム等の弾性部材１１ｂを介して連結されている。
【００４０】
上記のように構成されたスピーカ機能を有する発光表示装置１１においては、例えば天井から吊り下げることによって、四方や斜め下方等から発光体３による表示を見ることができると共に、振動板２等から発する音による案内等の情報を聞くことができる。
【００４１】
｛発明を実施するための異なる形態｝
次に、本発明を実施するための異なる形態としての第２の実施について図面を参照しながら説明する。但し、上記第１の実施の形態で示した構成要素と共通する要素には同一の符号を付し、その説明を簡略化する。
【００４２】
（第２の実施の形態）
この第２の実施の形態で示すスピーカ機能を有する発光表示パネル２０は、図４及び図５に示すように、ハニカムパネル５の各空隙５ａに、表示に関する電気信号に応じて発光が制御される発光体６を設け、ハニカムパネル５の表面５ｂに透光性を有する表層材４を設け、ハニカムパネル５の裏面５ｃに、各発光体６との電気的な接続がなされる回路を有する基板７を設け、ハニカムパネル５、表層材４及び基板７によって一体化された振動板８を構成し、この振動板８の裏面８ａに、音に関する電気信号に応じて振動する加振子１を設けた構成になっている。また、各発光体６には、上記回路を介して表示に関する電気信号が入力されるようになっている。
【００４３】
ハニカムパネル５は、正六角状の筒を隣接させて平板状の広がりを有するように形成したものであり、正六角形状の断面を有する複数の空隙５ａが表面５ｂと裏面５ｃとの間の厚さ方向に貫通している。
【００４４】
このハニカムパネル５は、アルミニウムの金属材料によって一体に形成されており、外縁が直角四角形状に形成されている。
【００４５】
各空隙５ａの内面５ｄは、鏡面状に仕上げられることにより、可視光線の反射率の高い面に形成されている。
【００４６】
発光体６は、ＬＥＤ等の発光素子によって構成されており、各空隙５ａにおける裏面５ｃ側に寄った位置に収容されている。
【００４７】
また、表層材４及び基板７は、ハニカムパネル５の表面５ｂ及び裏面５ｃのそれぞれと同等の広がりを有する直角四角形状に形成されていると共に、表面５ｂ及び裏面５ｃのそれぞれに接着剤等によって一体的に固定されるようになっている。また、表層材４、ハニカムパネル５及び基板７によって一体的に構成された振動板８は、その周縁部が枠２０ａによって囲まれている。そして、加振子１は、振動板８の裏面８ａの中央部（即ち基板７の裏面の中央部）にねじ等の固定手段によって一体的に固定されている。
【００４８】
上記のように構成されたスピーカ機能を有する発光表示パネル２０においては、ハニカムパネル５、表層材４及び基板７によって振動板８を一体的に構成しているので、重量の増加を抑えながら、振動板８の剛性の向上を図ることができる。従って、音質の向上を図ることができると共に、室内仕上げ材の一部としても有効に利用することができる。
【００４９】
また、発光体６をハニカムパネル５の各空隙５ａの内方に設置することができるので、表面５ｂ側から表層材４に作用する力に対して、発光体６を確実に保護することができる。
【００５０】
更に、各空隙５ａの内面５ｄを可視光線の反射率の高い面で形成しているので、発光体６から発した光を表示光として有効に利用することができると共に、当該表示光の直進性の向上を図ることができる。従って、消費電力の低減を図ることができる。
【００５１】
なお、上記第２の実施の形態においては、各空隙５ａの内面５ｄを鏡面状に仕上げることにより可視光線の反射率の向上を図るように構成したが、各空隙５ａの内面５ｄにクロムメッキを施したり、白色系の塗装を施したりすることにより反射率の向上を図るよう構成してもよい。
【００５２】
また、図６に示すように、上記スピーカ機能を有する発光表示パネル２０を立体的に組み合わせることによって、スピーカ機能を有する発光表示装置２１を構成してもよい。
【００５３】
このスピーカ機能を有する発光表示装置２１は、上述した発光表示装置１１と同様に、４つのスピーカ機能を有する発光表示パネル２０をそれぞれ表層材４側が外方を向くように四角筒状に組み合わされたもので構成されている。各発光表示パネル２０の水平方向の各端部は、コーナポスト部２１ａにスポンジゴム等の弾性部材２１ｂを介して連結されている。
【００５４】
上記のように構成されたスピーカ機能を有する発光表示装置２１においても、上述した発光表示装置１１と同様の作用効果を奏する。
【００５５】
また、上述したスピーカ機能を有する発光表示パネル１０、２０及び発光表示装置１１、２１については、例えば非常用の情報を発するものとして使用する場合は、耐火性、防火性、防煙性等を備えた材料で構成することが好ましい。加振子１に耐火性、防火性、防煙性が充分に得られない場合には、当該加振子１を耐火性、防火性、防煙性を有するケース等で覆うことが好ましい。
【００５６】
一方、上記各実施の形態においては、振動板２、８として平面状のものを示したが、これらの振動板２、８は曲面状に湾曲したもので形成してもよい。また、振動板２、８として外縁を直角四角形状に形成したものを示したが、これらの振動板２、８は外縁を円形状、楕円形状、三角形以上の多角形状等の形状に形成したものであってもよい。また、このような振動板２、８を用いた場合には、発光体３、表層材４、発光体６、基板７、枠１０ａ、２０ａも振動板２、８に合ったものとなる。
【００５７】
また、振動板２のハニカムパネル（ハニカムコア）及びこのハニカムパネルの表裏に貼り合わせて一体的に固定する薄板（表層材）や、振動板８のハニカムパネル（ハニカムコア）５を、アルミニウム以外のステンレス鋼等の他の金属材料を用いることにより、当該振動板２、８の剛性を更に高めるように構成してもよい。また、剛性の高いものが要求されない場合には、振動板２のハニカムパネル及び薄板や、振動板８のハニカムパネル５をプラスチック等の剛性の低い材質のもので構成してもよい。
更に、振動板２としては、ハニカムパネルと、その表裏の薄板とを材質の異なるもので構成してもよい。例えば、ハニカムパネルをペーパーハニカムとし、そのペーパーハニカムの表裏に金属製やガラスエポキシ製の薄板を貼り合わせてもよい。また、ハニカムパネルをガラスエポキシで形成してもよい。
【図面の簡単な説明】
【００５８】
【図１】この発明の第１の実施の形態として示したスピーカ機能を有する発光表示パネルの断面図である。
【図２】同スピーカ機能を有する発光表示パネルの要部斜視図である。
【図３】同スピーカ機能を有する発光表示パネルを組み合わせてなるスピーカ機能を有する発光表示装置を示す平面図である。
【図４】この発明の第２の実施の形態として示したスピーカ機能を有する発光表示パネルの断面図である。
【図５】同スピーカ機能を有する発光表示パネルのハニカムパネルを示す要部平面図である。
【図６】同スピーカ機能を有する発光表示パネルを組み合わせてなるスピーカ機能を有する発光表示装置を示す平面図である。
【符号の説明】
【００５９】
１  加振子
２、８  振動板
２ａ、３ａ、５ｂ  表面
３、６  発光体
４  表層材
５  ハニカムパネル
５ａ  空隙
５ｃ、８ａ  裏面
５ｄ  内面
７  基板
８  振動板
１０、２０  スピーカ機能を有する発光表示パネル
１１、２１  スピーカ機能を有する発光表示装置
【図１】
2005189464.tif 000003
【図２】
2005189464.tif 000004
【図３】
2005189464.tif 000005
【図４】
2005189464.tif 000006
【図５】
2005189464.tif 000007
【図６】
2005189464.tif 000008